(57)【要約】  充填剤を装填する個体ごとに防水性を維持できる分岐コネクタを提供する。  接続部（４６、４７）で接続された嵌合可能な一対の分割ハウジング（１６、３０）と、一対の分割ハウジング（１６、３０）内に装填される充填剤（７０）と、を備え、充填剤（７０）の表面形状は、一対の分割ハウジング（１６、３０）の内面形状に対応するように、一対の分割ハウジング（１６、３０）内において形成される。
2017204313.tif 000002
【特許請求の範囲】
【請求項１】
接続部で接続された嵌合可能な一対の分割ハウジングと、
前記一対の分割ハウジング内に装填される充填剤と、
を備え、
前記充填剤の表面形状は、前記一対の分割ハウジングの内面形状に対応するように、前記一対の分割ハウジング内において形成される、
分岐コネクタ。
【請求項２】
前記充填剤は、流動状態から弾性状態に物性を変化させる材料によって構成され、前記流動状態において、前記一対の分割ハウジングの前記内面形状に対応するように前記表面形状が形成された後、前記弾性状態に物性が変化する、
請求項１に記載の分岐コネクタ。
【請求項３】
前記一対の分割ハウジングの少なくとも一方は、内面から外面へと貫通する穴部を備え、
前記充填剤の前記表面形状は、前記一対の分割ハウジングを、前記穴部に対応する突部を形成した治具に載置して、前記穴部を塞いだ状態で形成される、
請求項２に記載の分岐コネクタ。
【請求項４】
前記充填剤は、紫外線の照射により前記流動状態から前記弾性状態に前記物性を変化させる材料によって構成される、
請求項２又は３に記載の分岐コネクタ。
【請求項５】
前記一対の分割ハウジングのいずれか一方は、電気導通部を有するコンタクトを備え、
前記一対の分割ハウジングのいずれか一方は、ケーブルを保持し、
前記コンタクトは、前記一対の分割ハウジングの嵌合状態において、前記ケーブルと導通した状態で内包される、
請求項１乃至４のいずれか１項に記載の分岐コネクタ。
【請求項６】
少なくとも１本の前記ケーブルが、嵌合時に前記充填剤の内側に配置される前記コンタクトから外側に延出する、
請求項５に記載の分岐コネクタ。
【請求項７】
前記電気導通部は、圧接用溝であり、
前記一対の分割ハウジングのいずれか一方は、少なくとも２本の前記ケーブルを保持し、
前記コンタクトは、前記一対の分割ハウジングの嵌合時に、前記圧接用溝によって前記ケーブルの芯線を挟持して、前記ケーブル同士を導通させる、
請求項５又は６に記載の分岐コネクタ。
【発明の詳細な説明】
【関連出願の相互参照】
【０００１】
本出願は、２０１６年５月２５日に日本国に特許出願された特願２０１６−１０４３４１号の優先権を主張するものであり、これら先の出願の開示全体をここに参照のために取り込む。
【技術分野】
【０００２】
本発明は、電子機器又は電気機器に接続された既存のケーブル（電線）に対して、当該電線とは別のケーブル（電線）を接続するための分岐コネクタに関する。
【背景技術】
【０００３】
この種の分岐コネクタは、絶縁性（合成樹脂製）のハウジングと、ハウジングに支持した導電性（金属製）の中継コンタクトと、を具備している。ハウジングは、第一分割ハウジングと、第二分割ハウジングと、第一分割ハウジングと第二分割ハウジングとを互いに接離可能として接続する接続部と、第一分割ハウジングと第二分割ハウジングとが接触したときにこの接触状態を保持するロック部と、を一体的に有する。【０００４】
大別して、２つのタイプの中継コンタクトが知られている。１つは、既存のケーブル（電線）を圧接する圧接用溝と、当該ケーブル（電線）とは別のケーブル（電線）を圧着する圧着端子とを有するタイプである（特許文献１）。別のタイプは、既存のケーブル（電線）と、別のケーブル（電線）とをそれぞれ圧接する一対の圧接用溝を並列に有するタイプである（特許文献２）。【０００５】
いずれのタイプでも、第一分割ハウジング及び第二分割ハウジングのいずれか一方に中継コンタクトが保持される。その圧接用溝にケーブルを接続する際には、該中継コンタクトの圧接用溝の上（入口部）に圧接されるケーブルを載置した状態で保持し、その状態で他方の分割ハウジングを中継コンタクト（を有する分割ハウジング）上に重ねて嵌め合わせる。これにより、中継コンタクトの圧接用溝によってケーブルの被覆を切断し、芯線と中継コンタクトとを導通させている。【０００６】
一方で、上記のような分岐コネクタにおいて、防水機能の付加に対する要求が高まっている。これに対して、第一分割ハウジング及び第二分割ハウジングを接触させた際に、防水用ゲル又はＵＶ硬化樹脂等の充填剤が各分割ハウジング内に装填されるように構成することが考えられる。このとき、充填剤を別部材として成形した後に、分割ハウジング内に装填する方法が考えられる。
【先行技術文献】
【特許文献】
【０００７】
【特許文献１】特許第３０２８９８８号公報
【特許文献２】実用新案登録第２６０５２７５号公報
【発明の概要】
【発明が解決しようとする課題】
【０００８】
しかしながら、上記のような方法では、主に２つの問題点があった。【０００９】
一点目は、組立て性の問題である。すなわち、分割ハウジングの内面形状及び充填剤の形状は、製造工程における精度の限界によって、実際には個体ごとにばらつく。これにより、充填剤の装填時に、充填剤と分割ハウジングの内面とを空隙なく密着させた状態で組立てることが困難であった。また、別部材として組立てることで、組立工数が増え、組立時間がより長くなる。さらに、製造者ごとの組立精度のばらつきも大きい。【００１０】
二点目は、防水性の問題である。すなわち、別部材として充填剤を成形してから分割ハウジングに装填するまでの間に、充填剤に埃等の異物が付着するおそれがある。また、上述のとおり、充填剤と分割ハウジングの内面とを空隙なく密着させた状態で組立てることは困難である。結果として、分岐コネクタの防水性が低減することとなる。【００１１】
かかる観点に鑑みてなされた本発明の目的は、充填剤を装填する個体ごとに防水性を維持できる分岐コネクタを提供することにある。
【課題を解決するための手段】
【００１２】
上記課題を解決する第１の観点に係る分岐コネクタは、
接続部で接続された嵌合可能な一対の分割ハウジングと、
前記一対の分割ハウジング内に装填される充填剤と、
を備え、
前記充填剤の表面形状は、前記一対の分割ハウジングの内面形状に対応するように、前記一対の分割ハウジング内において形成される。【００１３】
第２の観点に係る分岐コネクタでは、
前記充填剤は、流動状態から弾性状態に物性を変化させる材料によって構成され、前記流動状態において、前記一対の分割ハウジングの前記内面形状に対応するように前記表面形状が形成された後、前記弾性状態に物性が変化する。【００１４】
第３の観点に係る分岐コネクタでは、
前記一対の分割ハウジングの少なくとも一方は、内面から外面へと貫通する穴部を備え、
前記充填剤の前記表面形状は、前記一対の分割ハウジングを、前記穴部に対応する突部を形成した治具に載置して、前記穴部を塞いだ状態で形成される。【００１５】
第４の観点に係る分岐コネクタでは、
前記充填剤は、紫外線の照射により前記流動状態から前記弾性状態に前記物性を変化させる材料によって構成される。【００１６】
第５の観点に係る分岐コネクタでは、
前記一対の分割ハウジングのいずれか一方は、電気導通部を有するコンタクトを備え、
前記一対の分割ハウジングのいずれか一方は、ケーブルを保持し、
前記コンタクトは、前記一対の分割ハウジングの嵌合状態において、前記ケーブルと導通した状態で内包される。【００１７】
第６の観点に係る分岐コネクタでは、
少なくとも１本の前記ケーブルが、嵌合時に前記充填剤の内側に配置される前記コンタクトから外側に延出する。【００１８】
第７の観点に係る分岐コネクタでは、
前記電気導通部は、圧接用溝であり、
前記一対の分割ハウジングのいずれか一方は、少なくとも２本の前記ケーブルを保持し、
前記コンタクトは、前記一対の分割ハウジングの嵌合時に、前記圧接用溝によって前記ケーブルの芯線を挟持して、前記ケーブル同士を導通させる。
【発明の効果】
【００１９】
本発明によれば、充填剤を装填する個体ごとに防水性を維持できる分岐コネクタを提供可能である。
【図面の簡単な説明】
【００２０】
【図１】一実施形態の絶縁ハウジングが展開状態にある分岐コネクタ及びケーブルの斜視図である。
【図２】図１のI−I矢線に沿う断面図である。
【図３】中継コンタクトを具備しない状態の第一分割ハウジングのみを拡大した斜視図である。
【図４】第二分割ハウジングのみを拡大した斜視図である。
【図５】中継コンタクトを具備しない状態の絶縁ハウジング全体を示す斜視図である。
【図６】中継コンタクト単体の斜視図である。
【図７】展開状態における絶縁ハウジングに充填剤を装填した分岐コネクタを示す斜視図である。
【図８】充填剤を装填する前の絶縁ハウジングを載置するための治具を示す斜視図である。
【図９】絶縁ハウジングが展開状態からロック状態に遷移する段階の分岐コネクタ、第一ケーブル、及び第二ケーブルの斜視図である。
【図１０】絶縁ハウジングがロック状態にあるときの分岐コネクタ、第一ケーブル、及び第二ケーブルの斜視図である。
【図１１】図１０のII−II矢線に沿う断面図である。
【図１２】他の実施例に係る第一ロック部と第二ロック部との係合部を拡大した、図１１に対応する拡大断面図である。
【発明を実施するための形態】
【００２１】
以下、添付図面を参照しながら一実施形態について説明する。初めに、充填剤を装填していない状態の分岐コネクタの構造について主に説明する。以下の説明中の前後、左右、及び上下の方向は、図中の矢印の方向を基準としている。
【００２２】
図１は、一実施形態の絶縁ハウジング１５が展開状態にある分岐コネクタ１０、第一ケーブル６０、及び第二ケーブル６５の斜視図である。図２は、図１のI−I矢線に沿う断面図である。本実施形態の分岐コネクタ１０は、大きな構成要素として絶縁ハウジング１５と中継コンタクト５０とを具備している。
【００２３】
絶縁ハウジング１５は、例えば絶縁性の合成樹脂材料により構成した成形品である。絶縁ハウジング１５は、第一分割ハウジング１６、第二分割ハウジング３０、並びに第一分割ハウジング１６と第二分割ハウジング３０とを接続する連結部としての第一接続部４６及び第二接続部４７を一体的に成形して有する。
【００２４】
図３は、中継コンタクト５０を具備しない状態の第一分割ハウジング１６のみを拡大した斜視図である。図３を参照して、第一分割ハウジング１６の構造を詳細に説明する。
【００２５】
第一分割ハウジング１６の厚み方向の一方の面（図３の上面）の外周縁部は、外周壁１７により形成される。第一分割ハウジング１６の外周壁１７より内周側は、第一分割ハウジング１６の上面より（図３の下方へ）一段凹んだ内周側凹部１７ａにより構成される。内周側凹部１７ａの底面は、第一分割ハウジング１６の上面と平行な平面からなる内周側第一対向面１７ｂにより構成される。この内周側第一対向面１７ｂより内周側に位置する中央部分は、内周側第一対向面１７ｂより（図３の下方へ）一段凹んだ中央第一凹部１７ｃにより構成される。中央第一凹部１７ｃの底面は、内周側第一対向面１７ｂと平行な平面からなる中央第一対向面１７ｄにより構成される。中央第一凹部１７ｃと中央第一対向面１７ｄとにより、コンタクト取付溝１８が形成される。コンタクト取付溝１８は、固定部１８ａと、固定部１８ａの左右方向中間に位置し、固定部１８ａの前後幅を狭めて固定部１８ａを左右一対に区切る中間凸部１８ｂと、を有している。一対の固定部１８ａの底面（中央第一対向面１７ｄ）には略円柱形状の位置決め突起１８ｃが突設される。
【００２６】
第一分割ハウジング１６の外周壁１７には、一方の固定部１８ａの前後両側に位置しかつ互いに同一直線上に位置する一対の第一ケーブル取付溝１９と、他方の固定部１８ａの前後両側に位置しかつ互いに同一直線上に位置する（第一ケーブル取付溝１９と平行をなす）一対の第二ケーブル取付溝２０と、が凹設される。第一ケーブル取付溝１９及び第二ケーブル取付溝２０の正面形状は半円形である。第一分割ハウジング１６の外周壁１７の前後面には、一対の第一ケーブル取付溝１９の最深底面から下方に向かって外側に傾斜する一対の傾斜面１９ａが設けられる。同様に、第一分割ハウジング１６の外周壁１７の前後面には、一対の第二ケーブル取付溝２０の最深底面から下方に向かって外側に傾斜する一対の傾斜面２０ａが設けられる。第一分割ハウジング１６の外周壁１７の前後面には、前後の傾斜面１９ａ、２０ａより下方位置から前後方向に延びた平板状の蓋部２１、２２が設けられる。蓋部２１、２２の対向面２１ａ、２２ａ（図３の上方の面）は、傾斜面１９ａ、２０ａの最下部と同一の高さに位置する。
【００２７】
第一分割ハウジング１６の外周壁１７の左右両側面には、弾性を有する一対の第一ロック部２５が形成される。各第一ロック部２５と外周壁１７の前後面との間には、一対の凹部２５ａが形成される。各第一ロック部２５は、第一分割ハウジング１６の側面から外側に突出する第一ロック用突起２６を有する。第一ロック用突起２６は、前後方向に延在している。各第一ロック用突起２６は、下方に向かうに従って第一分割ハウジング１６の外側に傾斜する傾斜面２６ａを有する。
【００２８】
図４は、第二分割ハウジング３０のみを拡大した斜視図である。図４を参照して、第二分割ハウジング３０の構造を詳細に説明する。
【００２９】
第二分割ハウジング３０の厚み方向の一方の面（図４の上面）の外周縁部には、外周壁３１が突設される。第二分割ハウジング３０の外周壁３１より内周側に位置する部分は、外周壁３１より一段凹んだ内周側凹部３１ａにより構成される。内周側凹部３１ａの底面は、第二分割ハウジング３０の上面と平行な平面からなる内周側第二対向面３１ｂにより構成される。内周側第二対向面３１ｂには、左右一対の断面Ｕ字形の第一押圧溝３２ａ及び第二押圧溝３２ｂを有するケーブル押圧突起３２が突設される。ケーブル押圧突起３２は、中央突起３２ｃと、中央突起３２ｃの左右方向両側に形成される突起３２ｄ、３２ｅと、を有する。中央突起３２ｃと一方の突起３２ｄとの間に、第一押圧溝３２ａが形成される。中央突起３２ｃと他方の突起３２eとの間に、第二押圧溝３２ｂが形成される。
【００３０】
第二分割ハウジング３０には、前後面から突出するケーブル支持腕部３５、３６が形成される。ケーブル支持腕部３５、３６の上面には、第一ケーブル保持溝３５ａ、３６ａと第二ケーブル保持溝３５ｂ、３６ｂとが設けられる。前方側のケーブル支持腕部３５及び後方側のケーブル支持腕部３６は、第一ケーブル保持溝３５ａ及び３６ａの前端側部分及び後端側部分が、左右に空隙により分離分割した一対の突出片３７ａ及び一対の突出片３８ａによって形成される。前方側のケーブル支持腕部３５及び後方側のケーブル支持腕部３６は、第二ケーブル保持溝３５ｂ及び３６ｂの前端側部分及び後端側部分が、左右に空隙により分離分割した一対の突出片３７ｂ及び一対の突出片３８ｂによって形成される。各一対の突出片３７ａ、３８ａ、３７ｂ、３８ｂ、特にケーブル支持腕部３５、３６の左右外側の突出片は、左右方向に弾性的に撓む。したがって、隣接する突出片同士の間隔は、可変である。各一対の突出片３７ａ、３８ａ、３７ｂ、３８ｂは、前後端部の下端部から突設され、互いに対向する爪部を有する。
【００３１】
第一ケーブル保持溝３５ａ、３６ａと第二ケーブル保持溝３５ｂ、３６ｂとは、第一ケーブル６０と第二ケーブル６５とを全径に渡って挿入保持する（全径が収まる）深さの溝である。第一ケーブル保持溝３５ａ、３６ａは、外側に向かうに従って上方に傾斜する傾斜面３５ｅ、３６ｅを有する。すなわち、第一ケーブル６０が、第一ケーブル保持溝３５ａ、３６ａに挿入保持されると、第一ケーブル６０は、図１に示すように、第一ケーブル保持溝３５ａ、３６ａの傾斜面３５ｅ、３６ｅに沿って、対応するケーブル部分において上下斜め方向に傾斜する。同様に、第二ケーブル保持溝３５ｂ、３６ｂは、傾斜面３５ｆ、３６ｆを有する。第二ケーブル６５は、第一ケーブル６０と同様の態様で、第二ケーブル保持溝３５ｂ、３６ｂに挿入保持される。
【００３２】
第一ケーブル保持溝３５ａ、３６ａの前後端部の上方開口部寄り（突出片３７ａ、３８ａの各対向面）には、一対の脱落防止突起３５ｃと一対の脱落防止突起３６ｃとが設けられる。同様に、第二ケーブル保持溝３５ｂ、３６ｂの前後端部の上方開口部寄り（突出片３７ｂ、３８ｂの各対向面）には、一対の脱落防止突起３５ｄと一対の脱落防止突起３６ｄとが設けられる。脱落防止突起３５ｃ、３６ｃ及び３５ｄ、３６ｄは、第一ケーブル６０及び第二ケーブル６５が第一ケーブル保持溝３５ａ、３６ａ及び第二ケーブル保持溝３５ｂ、３６ｂに挿入されるのを許容する。このとき、各一対の突出片３７ａ、３８ａ及び各一対の突出片３７ｂ、３８ｂは、左右方向の間隔（各一対の脱落防止突起３５ｃ、３６ｃ及び各一対の脱落防止突起３５ｄ、３６ｄの間隔）が広がるように撓む。
【００３３】
第一ケーブル６０及び第二ケーブル６５が第一ケーブル保持溝３５ａ、３６ａ及び第二ケーブル保持溝３５ｂ、３６ｂに挿入されると、一対の脱落防止突起３５ｃ、３６ｃ及び一対の脱落防止突起３５ｄ、３６ｄが第一ケーブル６０及び第二ケーブル６５を挟圧する。このとき、各一対の突出片３７ａ、３８ａ及び各一対の突出片３７ｂ、３８ｂは、弾性的に左右方向の間隔が狭まる方向に撓む。したがって、第一ケーブル保持溝３５ａ、３６ａ及び第二ケーブル保持溝３５ｂ、３６ｂに挿入された第一ケーブル６０及び第二ケーブル６５に対して抵抗が与えられつつ、ケーブル延長方向への移動が許容される。加えて、各一対の突出片３７ａ、３８ａ及び各一対の突出片３７ｂ、３８ｂは、第一ケーブル保持溝３５ａ、３６ａ及び第二ケーブル保持溝３５ｂ、３６ｂから離脱しようとする力に抵抗を与えて容易に抜けないように抜け止めとして作用する。一方で、各一対の突出片３７ａ、３８ａ及び各一対の突出片３７ｂ、３８ｂは、一定以上の外力による第一ケーブル６０及び第二ケーブル６５の離脱を可能とする。上記の抜止作用は、第二分割ハウジング３０の上下（表裏）を反転させても維持される。
【００３４】
第二分割ハウジング３０の外周壁３１の左右両側面には、一対の第二ロック部３９が形成される。一対の第二ロック部３９は、第二分割ハウジング３０の内面に形成される。各第二ロック部３９は、第二分割ハウジング３０の側面から内側に突出する第二ロック用突起４０を有する。各第二ロック部３９の前後両端には、上下方向に延在する一対の凸壁４１が形成される。各第二ロック用突起４０は、略直方体形状であり、一対の凸壁４１間にわたるように、第二分割ハウジング３０の内面の上方に形成される。すなわち、第二ロック用突起４０は、前後方向に延在する。
【００３５】
内周側第二対向面３１ｂの左右両縁部には、左右両側面の第二ロック部３９に隣接するように一対の穴部４３が形成される。各穴部４３は、内周側第二対向面３１ｂの表面から第二分割ハウジング３０の外面まで貫通している。
【００３６】
図５は、中継コンタクト５０を具備しない状態の絶縁ハウジング１５全体を示す斜視図である。
【００３７】
第一分割ハウジング１６と第二分割ハウジング３０とは、第一分割ハウジング１６側から直線的に延びる前後一対の第一接続部４６と、第二分割ハウジング３０側から直線的に延びる前後一対の第二接続部４７と、第一接続部４６と第二接続部４７とを接続する屈曲容易部４８とによって連結される。前後一対の第一接続部４６及び前後一対の第二接続部４７は、展開状態で互いに同一平面上に位置する。
【００３８】
図２及び図５に示すように屈曲容易部４８は、前後の第一接続部４６及び第二接続部４７より薄肉としてある。前後の第一接続部４６及び第二接続部４７は、前後方向に延びる屈曲容易部４８を折曲げ線として、図１、図５等において谷折り（第一分割ハウジング１６と第二分割ハウジング３０とが接近する方向に折曲げ）可能（容易）である。第一接続部４６の曲げ剛性は、第二接続部４７の曲げ剛性よりも小さくなるように設定される。
【００３９】
第一分割ハウジング１６、第一接続部４６、屈曲容易部４８、第二接続部４７、及び第二分割ハウジング３０は、図１及び図５に示す展開状態において、自律的にこの展開状態を維持する程度の強度（剛性）を有する。
【００４０】
図６は、中継コンタクト５０単体の斜視図である。図６を参照して、中継コンタクト５０の構造を詳細に説明する。
【００４１】
中継コンタクト５０は、ばね弾性を有する銅合金（例えばリン青銅、ベリリウム銅、若しくはチタン銅）又はコルソン系銅合金の薄板を順送金型（スタンピング）を用いて図示形状に成形加工したものである。中継コンタクト５０では、表面にニッケルメッキで下地が形成された後に、錫銅めっき、錫めっき、又は金めっきが施される。
【００４２】
中継コンタクト５０は、左右方向に延びる平板状の基片５１と、基片５１の前後両側縁部の一方の端部に突設した、基片５１に対して直交する方向に延びる平板状の一対の第一ケーブル圧接片５２と、基片５１の前後両側縁部の他方の端部に突設した、基片５１に対して直交する方向に延びる平板状の一対の第二ケーブル圧接片５４と、を一体的に有する。基片５１の左右二か所には円形の位置決め孔５１ａが形成される。前後の第一ケーブル圧接片５２と第二ケーブル圧接片５４とには、基片５１側に向かって直線的に延びるスリットからなる第一圧接用溝５３と第二圧接用溝５５とがそれぞれ形成される。第一圧接用溝５３の上端開口部は、先端部５２ａにより上方に向かって広がる略Ｖ字状に形成される。第二圧接用溝５５の上端開口部は、先端部５４ａにより上方に向かって広がる略Ｖ字状に形成される。
【００４３】
前後一対の第一ケーブル圧接片５２及び前後一対の第二ケーブル圧接片５４は、それぞれ幅狭部５２ｂ及び幅狭部５４ｂを介して基片５１と接続される。左右方向に位置する第一ケーブル圧接片５２と第二ケーブル圧接片５４との対向縁部の間隔は、幅狭部５２ｂと幅狭部５４ｂとの対向縁部の間隔より狭い。幅狭部５２ｂと幅狭部５４ｂとの間には、遊び部５１ｂが設けられる。第一ケーブル圧接片５２と第二ケーブル圧接片５４との間には、インシュレータ等の他の部材が介在しない。
【００４４】
中継コンタクト５０は、第一分割ハウジング１６と第二分割ハウジング３０との嵌合状態において、第一ケーブル６０及び第二ケーブル６５と導通した状態で内包される。より具体的には、中継コンタクト５０は、第一分割ハウジング１６と第二分割ハウジング３０との嵌合時に、第一圧接用溝５３及び第二圧接用溝５５によって絶縁性の被覆６２及び被覆６７を切断して、第一ケーブル６０及び第二ケーブル６５同士を導通接続するものである。すなわち、中継コンタクト５０は、嵌合時に、第一圧接用溝５３及び第二圧接用溝５５によって芯線６１及び芯線６６を挟持して、第一ケーブル６０及び第二ケーブル６５同士を導通させる。
【００４５】
第一ケーブル６０及び第二ケーブル６５は、導電性及び可撓性を有する材料（例えば銅又はアルミニウム）からなる芯線６１、６６（撚り線又は単線）の表面を、チューブ状であり、かつ可撓性及び絶縁性を有する被覆６２、６７でそれぞれ覆ったものである。第一ケーブル６０は、配線対象物（例えば自動車等）の内部に最初から配線しかつ配線対象物の電源と接続するケーブルである。一方、第二ケーブル６５は、第一ケーブル６０に対して後から追加で接続するケーブルである。第二ケーブル６５の一端（前端）には電子機器又は電気機器（例えばカーナビゲーションシステム）等が接続される。
【００４６】
以下では、充填剤７０を装填した状態の分岐コネクタ１０について主に説明する。充填剤７０は、防水用ゲル、ＵＶ硬化樹脂、又は接着剤等、任意の材料であってよい。以下では、充填剤７０は、一例として、防水機能を有するＵＶ硬化樹脂であるものとして説明する。
【００４７】
図７は、展開状態における絶縁ハウジング１５に充填剤７０を装填した分岐コネクタ１０を示す斜視図である。図８は、充填剤７０を装填する前の絶縁ハウジング１５を載置するための治具８０を示す斜視図である。
【００４８】
本実施形態では、図７に示すように、第一分割ハウジング１６の内周側第一対向面１７ｂ及び第二分割ハウジング３０の内周側第二対向面３１ｂに、充填剤７０を介在させる。充填剤７０の表面形状は、第一ケーブル６０及び第二ケーブル６５を載置しない状態で、第一分割ハウジング１６及び第二分割ハウジング３０内において、それぞれの内面形状に対応するように形成される。
【００４９】
より詳細には、ＵＶ硬化樹脂（充填剤７０）は、紫外線の照射により流動状態から弾性状態に物性を変化させる材料である。流動状態におけるＵＶ硬化樹脂は、ディスペンサー等の工具により第一分割ハウジング１６及び第二分割ハウジング３０の内面に塗布される。ＵＶ硬化樹脂は、この段階では流動性を有しているので、第一分割ハウジング１６及び第二分割ハウジング３０の内面形状に対応するように、それぞれの内部で拡散する。このように、ＵＶ硬化樹脂の表面形状は、流動状態において、第一分割ハウジング１６及び第二分割ハウジング３０の内面形状に対応するように形成される。その後、紫外線の照射によって、ＵＶ硬化樹脂は、弾性状態にその物性を変化させる。
【００５０】
本実施形態に係る分岐コネクタ１０のように、例えば、ＵＶ硬化樹脂の塗布領域に穴部４３のような外面まで貫通する構造が存在する場合、流動状態にあるＵＶ硬化樹脂は、第二分割ハウジング３０の外部に漏れる。そこで、外部への樹脂漏れを防ぐために、治具８０を用いる。
【００５１】
治具８０は、第一分割ハウジング１６を載置するための第一基台８１と、第二分割ハウジング３０を載置するための第二基台８２とを有する。治具８０は、第一基台８１と第二基台８２とが左右方向に連続するように一体成形されている。第一基台８１の上下方向の幅は、第二基台８２の上下方向の幅よりも大きい。治具８０は、第一基台８１の上部が、第二基台８２の上面から上方に突出するように形成される。第二基台８２の上面には、第二分割ハウジング３０を載置した時に一対の穴部４３と嵌合する一対の突部８３が形成される。第一基台８１の上面と第二基台８２の上面との間の上下方向の幅は、第一分割ハウジング１６の底面と第二分割ハウジング３０の底面との間の上下方向の幅に一致する。すなわち、第一分割ハウジング１６及び第二分割ハウジング３０を治具８０に載置した時、第二分割ハウジング３０の一対の穴部４３が一対の突部８３と嵌合し、第一分割ハウジング１６の底面及び第二分割ハウジング３０の底面が、第一基台８１及び第二基台８２の上面とそれぞれ当接する。
【００５２】
本実施形態に係る分岐コネクタ１０の場合、ＵＶ硬化樹脂を装填する前の絶縁ハウジング１５を治具８０に載置して、第二分割ハウジング３０の一対の穴部４３を塞いだ状態で、ＵＶ硬化樹脂は塗布される。このように、ＵＶ硬化樹脂の表面形状は、流動状態において、第一分割ハウジング１６及び第二分割ハウジング３０の内面形状に加えて、治具８０の突部８３の上面形状にも対応するように形成される。
【００５３】
第一分割ハウジング１６の内周側第一対向面１７ｂに介在させた充填剤７０は、下面の平面形状が内周側第一対向面１７ｂと略同一であって、中継コンタクト５０の周囲を囲む角筒形状に形成される。充填剤７０の高さは、第一分割ハウジング１６と第二分割ハウジング３０とを閉じたときに、それぞれの充填剤７０同士が密着する高さである。
【００５４】
第二分割ハウジング３０の内周側第二対向面３１ｂに介在させた充填剤７０は、下面の平面形状が内周側第二対向面３１ｂと略同一であり、ケーブル押圧突起３２の周囲を囲む角筒形状に形成される。充填剤７０の高さは、第一分割ハウジング１６と第二分割ハウジング３０とを閉じたときに、それぞれの充填剤７０同士が密着する高さである。
【００５５】
図９は、絶縁ハウジング１５が展開状態からロック状態に遷移する段階の分岐コネクタ１０、第一ケーブル６０、及び第二ケーブル６５の斜視図である。図１０は、絶縁ハウジング１５がロック状態にあるときの分岐コネクタ１０、第一ケーブル６０、及び第二ケーブル６５の斜視図である。図１１は、図１０のII−II矢線に沿う断面図である。
【００５６】
絶縁ハウジング１５、中継コンタクト５０、第一ケーブル６０、第二ケーブル６５、及び充填剤７０を一体化して、第一ケーブル６０と第二ケーブル６５とを電気的に接続しながら分岐コネクタ１０を組み立てる。そのためには、まず組み立て作業者が手等により図７に示す展開状態にある第一分割ハウジング１６のコンタクト取付溝１８に対して中継コンタクト５０の下部を嵌合させる。具体的には、遊び部５１ｂを中間凸部１８ｂに嵌合させながら、基片５１をコンタクト取付溝１８の底部に嵌合させる。第一ケーブル圧接片５２の基片５１側の半部（図１、図２では下半部）を対応する固定部１８ａに嵌合させる。同様に、第二ケーブル圧接片５４の基片５１側の半部を対応する固定部１８ａに嵌合させる。基片５１の一対の位置決め孔５１ａに対して第一分割ハウジング１６の一対の位置決め突起１８ｃが嵌合するので（図２、図１１）、中継コンタクト５０が第一分割ハウジング１６に対して位置決めされる。中継コンタクト５０を第一分割ハウジング１６に取り付けると、前後の第一ケーブル取付溝１９を通る軸線上に前後の第一圧接用溝５３が位置する。同様に、前後の第二ケーブル取付溝２０を通る軸線上に前後の第二圧接用溝５５が位置する。
【００５７】
組み立て作業者が手等により、前後の脱落防止突起３５ｃ、３６ｃ及び３５ｄ、３６ｄによる抵抗に抗して押込む（図１参照）。その際、各突出片３７ａ、３８ａ、３７ｂ、３８ｂは弾性力に抗して撓み、対向する脱落防止突起３５ｃ、３６ｃ及び３５ｄ、３６ｄの間隔を広げる。第一ケーブル６０及び第二ケーブル６５が第一ケーブル保持溝３５ａ、３６ａ及び第二ケーブル保持溝３５ｂ、３６ｂに押し込まれると、対向する脱落防止突起３５ｃ、３６ｃ及び３５ｄ、３６ｄの間隔が狭まる。これにより、第一ケーブル６０及び第二ケーブル６５は、第一ケーブル保持溝３５ａ、３６ａの底部及び第二ケーブル保持溝３５ｂ、３６ｂの底部と脱落防止突起３５ｃ、３６ｃ及び３５ｄ、３６ｄとの間に挟持される。これにより第一ケーブル６０及び第二ケーブル６５は、抵抗を受けながらケーブル延長方向に移動可能である。したがって、図１及び図２に示した展開状態の分岐コネクタ１０に対する第一ケーブル６０及び第二ケーブル６５の延長方向の位置調整が可能である。第一ケーブル６０及び第二ケーブル６５は、第一ケーブル保持溝３５ａ、３６ａ及び第二ケーブル保持溝３５ｂ、３６ｂから離脱しようとすると離脱を阻止する抵抗を受ける。したがって、分岐コネクタ１０を上下逆さまにしても、第一ケーブル６０及び第二ケーブル６５は、第一ケーブル保持溝３５ａ、３６ａ及び第二ケーブル保持溝３５ｂ、３６ｂから容易に抜け落ちない。第一ケーブル６０及び第二ケーブル６５は、一定以上の付勢力により第一ケーブル保持溝３５ａ、３６ａ及び第二ケーブル保持溝３５ｂ、３６ｂから離脱させることが可能である。したがって、分岐コネクタ１０の交換、並びに分岐コネクタ１０に着脱する第一ケーブル６０及び第二ケーブル６５の変更が容易である。
【００５８】
第一ケーブル６０及び第二ケーブル６５を左右方向に並べ、第一ケーブル保持溝３５ａ、３６ａ及び第二ケーブル保持溝３５ｂ、３６ｂに嵌合保持した状態のまま、前後の屈曲容易部４８を中心に第二分割ハウジング３０（前後の第二接続部４７）を第一分割ハウジング１６（前後の第一接続部４６）に対して接近するように回転させる。すると、第一分割ハウジング１６側の第二ロック用突起４０が、対応する第一ロック用突起２６の傾斜面２６ａに当接する。さらに回転させると、当該第二ロック用突起４０が対応する傾斜面２６ａを下方に摺動しつつ、対応する第一ロック用突起２６が、第一分割ハウジング１６の内側方向に弾性変形する。一方で、第二接続部４７側に位置するケーブル押圧突起３２の第二押圧溝３２ｂが、第二ケーブル６５の中間部を、第二圧接用溝５５の奥側（下方）に僅かに押し込むことで、第二ケーブル６５の中間部が、前後の第二ケーブル圧接片５４の間の空間に入り込む。
【００５９】
手等により第二分割ハウジング３０を前後の屈曲容易部４８を中心に第一分割ハウジング１６に対して接近する方向にさらに回転させると、第二接続部４７と反対側に位置するケーブル押圧突起３２の第一押圧溝３２ａが、第一ケーブル６０の中間部を第一ケーブル圧接片５２の先端部５２ａに対して第一圧接用溝５３の延出方向又はこれに近い方向に押し当てる。したがって、第一ケーブル６０が先端部５２ａとケーブル押圧突起３２とによって挟持される。
【００６０】
第一ケーブル６０と第二ケーブル６５とを中継コンタクト５０の先端部５２ａ、５４ａに載置した後に、図示を省略した一般的な工具（例えば、プライヤー）によって第一分割ハウジング１６及び第二分割ハウジング３０を、互いに接近する方向に略平行に押圧する。このとき、各第二ロック用突起４０が、対応する第一ロック用突起２６に対して係合する。第二ロック部３９の各凸壁４１が、対応する凹部２５ａと嵌合する。これにより、第一分割ハウジング１６が第二分割ハウジング３０内に収容され、第一ロック部２５と第二ロック部３９とは、嵌合した第一分割ハウジング１６及び第二分割ハウジング３０の内側で係合する。
【００６１】
ケーブル押圧突起３２は、第一ケーブル６０及び第二ケーブル６５の中間部を第一圧接用溝５３及び第二圧接用溝５５の奥側（底面側）にさらに押し込む。したがって、第一ケーブル６０が先端部５２ａから第一圧接用溝５３の略中央部まで押し込まれかつ第二ケーブル６５が先端部５４ａから第二圧接用溝５５の略中央部まで押し込まれる。このとき、ケーブル押圧突起３２の第一押圧溝３２ａ及び第二押圧溝３２ｂによる第一ケーブル６０及び第二ケーブル６５の押圧方向は、上下方向（第一圧接用溝５３及び第二圧接用溝５５の延長方向）と略平行となる。これにより、第一圧接用溝５３の内面（左右両面）によって第一ケーブル６０の被覆６２の左右両側部が破られかつ第二圧接用溝５５の内面（左右両面）によって第二ケーブル６５の被覆６７の左右両側部が破られる。したがって、絶縁ハウジング１５が閉状態に保持されたときに、第一圧接用溝５３の内面（一対の対向面）が芯線６１の両側部に対して均等且つ確実に接触（圧接）し、かつ第二圧接用溝５５の内面（一対の対向面）が芯線６６の両側部に対して均等且つ確実に接触（圧接）する。すなわち、分岐コネクタ１０の内部において第一ケーブル６０の芯線６１と第二ケーブル６５の芯線６６とが中継コンタクト５０を介して互いに電気的に導通する。
【００６２】
芯線６１、６６の両側部の一方に対して第一圧接用溝５３及び第二圧接用溝５５の内面が過度に強く当たることがないので、芯線６１、６６の一部が第一圧接用溝５３及び第二圧接用溝５５によって切断されることがない。そのため芯線６１、６６の機械的強度が低下しないので、第一ケーブル６０及び第二ケーブル６５に引張力が作用しても芯線６１、６６が完全に切断するおそれは小さい。したがって、第一ケーブル６０及び第二ケーブル６５と中継コンタクト５０との接触信頼性を高めることが可能である。
【００６３】
第一分割ハウジング１６と第二分割ハウジング３０とが閉状態に（嵌合して）保持（ロック）された状態では、第一分割ハウジング１６の蓋部２１、２２の対向面２１ａ、２２ａが、第一ケーブル保持溝３５ａ、３６ａ及び第二ケーブル保持溝３５ｂ、３６ｂの開口部（図４の上方の開口部）の一部を塞いでいる。第一ケーブル６０は、第一分割ハウジング１６の一対の傾斜面１９ａ、及び対応する第二分割ハウジング３０の傾斜面３５ｅ、３６ｅによって上下方向から挟持される。同様に、第二ケーブル６５は、第一分割ハウジング１６の一対の傾斜面２０ａ、及び対応する第二分割ハウジング３０の傾斜面３５ｆ、３６ｆによって上下方向から挟持される。このように構成すると、第一分割ハウジング１６と第二分割ハウジング３０とが閉状態（ロック状態）となったときに、第一ケーブル６０及び第二ケーブル６５の被覆６２、６７の表面に（中継コンタクト５０との電気的導通を妨げることなく）密着する。したがって、仮に分岐コネクタ１０の外側において加わった外力によって第一ケーブル６０及び第二ケーブル６５が振られて屈曲したとしても、第一ケーブル６０及び第二ケーブル６５の屈曲に起因する動き又は応力の中継コンタクト５０との圧接部に対する伝達が抑止される。これにより、接触信頼性が維持される。
【００６４】
中継コンタクト５０は、第一ケーブル圧接片５２及び第二ケーブル圧接片５４と基片５１とを幅狭部５２ｂ、５４ｂで接続する。第一ケーブル圧接片５２と第二ケーブル圧接片５４との隙間（間隔）は狭く、この隙間にインシュレータ等が配置されない。したがって、中継コンタクト５０の大きさ、特に左右方向の幅が小さくなり、小型軽量化が可能である。
【００６５】
図７に示す展開状態から、分岐コネクタ１０をロック状態に遷移させると、図１１に示すとおり、嵌合した第一分割ハウジング１６及び第二分割ハウジング３０の内部全体が充填剤７０により充填される。より詳細には、第一分割ハウジング１６と第二分割ハウジング３０とがロック状態となったときに、充填剤７０は、内周側第一対向面１７ｂと内周側第二対向面３１ｂとに密着して中継コンタクト５０の周囲を密閉する。充填剤７０は、第一ケーブル６０及び第二ケーブル６５の被覆６２、６７の表面を（中継コンタクト５０との電気的導通を妨げることなく）囲む。
【００６６】
第一ケーブル６０及び第二ケーブル６５は、ロック状態で充填剤７０の内側に配置される中継コンタクト５０から外側に延出する。すなわち、第一ケーブル６０及び第二ケーブル６５は、中継コンタクト５０における圧接部分から前後方向に沿って外側に延出する。
【００６７】
充填剤７０は、第一分割ハウジング１６の一対の第一ロック部２５の内面と当接する。図１１に示すとおり、第一ロック用突起２６及び第二ロック用突起４０の係合面２７は、その上下方向において、上下方向に沿った充填剤７０の幅内に位置するように構成されるのが好適である。第一分割ハウジング１６及び第二分割ハウジング３０を嵌め合わせたときに、第二ロック用突起４０の表面は、第一ロック部２５の外面と当接する。これにより形成される当接面４２は、充填剤７０と当接する第一ロック部２５の内面と略平行であるのが好適である。
【００６８】
以上のような充填剤７０の構成により、水又は埃等が第一ケーブル６０及び第二ケーブル６５の芯線６１、６６に接触するおそれを低減できる。
【００６９】
分岐コネクタ１０は、充填剤７０を別部材として成形する必要がなく、ＵＶ硬化樹脂のように流動状態で塗布するため、第一分割ハウジング１６及び第二分割ハウジング３０の内面と充填剤７０の表面との間に空隙又は空泡が形成されにくい。製造工程において充填剤７０に直接触れることがないので、充填剤７０に異物が付着したり、充填剤７０の形状が変化したりするおそれもない。したがって、分岐コネクタ１０は、第一分割ハウジング１６及び第二分割ハウジング３０の内面に充填剤７０を密着させることが可能であり、防水性を向上させることが可能である。
【００７０】
分岐コネクタ１０は、ディスペンサー等の工具により単純な作業で充填剤７０を塗布できるので、製造者による組立精度のばらつきを抑制できる。分岐コネクタ１０は、充填剤７０を別部材として成形する必要がないので、工数を低減でき、作業時間を短縮できる。分岐コネクタ１０は、対応する治具８０を用いることによって、様々なバリエーションの内面形状に合わせて、充填剤７０を装填できる。充填剤７０としてＵＶ硬化樹脂を用いることで、紫外線の照射のみによって樹脂を弾性状態に変化させることが可能なので、作業がより簡易となる。
【００７１】
以上のように、分岐コネクタ１０は、製品個体ごとの内部形状に対応させて充填剤７０を装填可能であり、製品個体ごとに防水性を維持できる。
【００７２】
充填剤７０が第一ケーブル６０及び第二ケーブル６５に密着するので、仮に分岐コネクタ１０の外側において加わった外力によって第一ケーブル６０及び第二ケーブル６５が振られて屈曲したとしても、第一ケーブル６０及び第二ケーブル６５の屈曲に起因する動き又は応力の中継コンタクト５０との圧接部に対する伝達が抑止される。これにより、接触信頼性が維持される。
【００７３】
充填剤７０が、第一ロック部２５の内面と当接することで、弾性を有する第一ロック部２５は、充填剤７０の膨張又は膨潤による内側から外側への弾性力により、外側に弾性変形しようとする。分岐コネクタ１０では内側でロック部が構成されるので、外側への弾性変形により、分岐コネクタ１０は、第一ロック部２５と第二ロック部３９との係合をさらに強固にすることができる。より詳述すると、第一ロック用突起２６及び第二ロック用突起４０の係合面２７が、充填剤７０と当接する第一ロック部２５の内面の上下方向における幅内にあることで、充填剤７０の膨張力等を効率良く係合力に変換できる。当接面４２が充填剤７０と当接する第一ロック部２５の内面と略平行となることで、充填剤７０の膨張力等は、第一ロック部２５及び第二ロック用突起４０の表面に対して略垂直方向に伝わる。これにより、分岐コネクタ１０は、充填剤７０の膨張力等をさらに効率良く係合力に変換できる。その結果、分岐コネクタ１０は、第一分割ハウジング１６及び第二分割ハウジング３０の密着状態をより高めることができる。このように、分岐コネクタ１０は、内側から外側への弾性力が働いた状態であっても、第一分割ハウジング１６及び第二分割ハウジング３０の開き作用を抑制できる。その結果、分岐コネクタ１０は、防水性を維持できる。当該効果は、常温下においても現れるが、高温下において充填剤７０の膨張が大きくなるほど、より顕著に現れる。
【００７４】
充填剤７０として粘度が高い部材を使用する場合、分岐コネクタ１０は、第一分割ハウジング１６及び第二分割ハウジング３０間の開きをさらに抑制できる。すなわち、第一分割ハウジング１６及び第二分割ハウジング３０の両側に充填剤７０が配置されることで、ロック状態でそれぞれの充填剤７０が粘着し、当該粘着力が、嵌合した第一分割ハウジング１６及び第二分割ハウジング３０の開きに対する抵抗力となる。
【００７５】
分岐コネクタ１０は、嵌合した第一分割ハウジング１６及び第二分割ハウジング３０の内部にロック機構を形成したため、凹凸又は貫通穴が少ない略平面形状に外周壁３１を形成することができる。これにより、分岐コネクタ１０は、防水性をより高めることができ、粉塵及びオイル等の異物の侵入もさらに抑止できる。
【００７６】
分岐コネクタ１０は、一方向に延在する第一ロック用突起２６及び同方向に延在する第二ロック用突起４０が係合して、係合面２７が同方向に延在した平面を構成することで、係合面２７の面積を広げ、係合をより強固にすることができる。分岐コネクタ１０は、係合面２７が図１１に示すように略水平となることで、係合する力を第一ロック用突起２６及び第二ロック用突起４０間で伝えやすくなる。
【００７７】
本発明は、その精神又はその本質的な特徴から離れることなく、上述した実施形態以外の他の所定の形態で実現できることは当業者にとって明白である。したがって、先の記述は例示的なものであり、これに限定されるものではない。発明の範囲は、先の記述によってではなく、付加した請求項によって定義される。あらゆる変更のうちその均等の範囲内にあるいくつかの変更は、その中に包含されるものとする。
【００７８】
本実施形態では、治具８０は図８のような形状により形成されるものとして説明したが、これに限定されない。治具８０は、絶縁ハウジング１５の形状に対応する形状であって、充填剤７０が外部に漏れない構造であれば、任意の形状であってよい。
【００７９】
図１２は、他の実施例に係る第一ロック部２５と第二ロック部３９との係合部を拡大した、図１１に対応する拡大断面図である。上記では、図１１に示すとおり、第一ロック用突起２６及び第二ロック用突起４０の係合面２７は、前後方向に延在した略水平な平面であるが、これに限定されない。例えば、図１２に示すとおり、当該係合面２７が、嵌合した第一分割ハウジング１６及び第二分割ハウジング３０の内側から外側に向けて下方に傾斜していてもよい。分岐コネクタ１０は、当該断面形状により、ロックが外れる可能性をさらに低減できる。
【００８０】
本実施形態では、第一ロック部２５を第一分割ハウジング１６に形成し、第二ロック部３９を第二分割ハウジング３０に形成しているが、これに限定されない。弾性を有する第一ロック部２５が、中継コンタクト５０を有さない第二分割ハウジング３０側に形成され、第二ロック部３９が、中継コンタクト５０を有する第一分割ハウジング１６側に形成されてもよい。第一ロック部２５及び第二ロック部３９の第一分割ハウジング１６及び第二分割ハウジング３０における形成位置も、上記に限定されず、第一分割ハウジング１６及び第二分割ハウジング３０を嵌合させてロックを保持することが可能であれば、任意の形成位置であってよい。
【００８１】
本実施形態では、第一ロック部２５及び第二ロック部３９は、第一ロック用突起２６及び第二ロック用突起４０をそれぞれ有し、第一ロック用突起２６と第二ロック用突起４０とが係合するロック手段を示したが、これに限定されない。第一ロック部２５及び第二ロック部３９は、任意のロック手段を有してもよい。
【００８２】
本実施形態では第一ケーブル６０及び第二ケーブル６５の脱落を防止する脱落防止突起３５ｃ、３６ｃ及び３５ｄ、３６ｄを第一ケーブル保持溝３５ａ、３６ａ及び第二ケーブル保持溝３５ｂ、３６ｂに設けたが、これに限定されない。脱落防止突起は、ケーブル押圧突起３２の第一押圧溝３２ａ及び第二押圧溝３２ｂにそれぞれ設けてもよい。
【００８３】
中継コンタクト５０は、第二ケーブル６５を圧接するタイプであるが、第二ケーブル６５を圧着するタイプであってもよい。この場合、第二ケーブル６５は、予め中継コンタクト５０に圧着接続しておき、この状態で中継コンタクト５０を第一分割ハウジング１６に装着する。この実施形態では、中継コンタクト５０の一対の第一圧接用溝５３及び第二圧接用溝５５の一方の代わりに、ケーブル圧着端子が形成される。第二分割ハウジング３０には、残存する圧接用溝に対応させて一つのケーブル支持腕部３５又は３６が設けられる。
【００８４】
逆に、各ケーブルの分岐コネクタ１０によって支持された部位の延長方向に対して直交又は略直交する方向に並べた３本以上のケーブルが分岐コネクタ１０により接続されてもよい。この場合、一つの中継コンタクトに（左右方向に並んだ）三対以上の圧接用溝が形成されてもよい。複数の中継コンタクトのそれぞれに圧接用溝が形成され、少なくとも一つの中継コンタクトに二対以上の圧接用溝が形成されて、各圧接用溝によってケーブル（芯線）が圧接されてもよい。
【符号の説明】
【００８５】
１０    分岐コネクタ
１５    絶縁ハウジング
１６    第一分割ハウジング
１７    外周壁
１７ａ  内周側凹部
１７ｂ  内周側第一対向面
１７ｃ  中央第一凹部
１７ｄ  中央第一対向面
１８    コンタクト取付溝
１８ａ  固定部
１８ｂ  中間凸部
１８ｃ  位置決め突起
１９    第一ケーブル取付溝
１９ａ  傾斜面
２０    第二ケーブル取付溝
２０ａ  傾斜面
２１、２２  蓋部
２１ａ、２２ａ  対向面
２５    第一ロック部
２５ａ  凹部
２６    第一ロック用突起
２６ａ  傾斜面
２７    係合面
３０    第二分割ハウジング
３１    外周壁
３１ａ  内周側凹部
３１ｂ  内周側第二対向面
３２    ケーブル押圧突起
３２ａ  第一押圧溝
３２ｂ  第二押圧溝
３２ｃ  中央突起
３２ｄ、３２ｅ  突起
３５、３６  ケーブル支持腕部
３５ａ、３６ａ  第一ケーブル保持溝
３５ｂ、３６ｂ  第二ケーブル保持溝
３５ｃ、３６ｃ  脱落防止突起
３５ｄ、３６ｄ  脱落防止突起
３５ｅ、３６ｅ  傾斜面
３５ｆ、３６ｆ  傾斜面
３７ａ、３７ｂ、３８ａ、３８ｂ  突出片
３９    第二ロック部
４０    第二ロック用突起
４１    凸壁
４２    当接面
４３    穴部
４６    第一接続部（接続部）
４７    第二接続部（接続部）
４８    屈曲容易部
５０    中継コンタクト
５１    基片
５１ａ  位置決め孔
５１ｂ  遊び部
５２    第一ケーブル圧接片
５２ａ  先端部
５２ｂ  幅狭部
５３    第一圧接用溝（電気導通部、圧接用溝）
５４    第二ケーブル圧接片
５４ａ  先端部
５４ｂ  幅狭部
５５    第二圧接用溝（電気導通部、圧接用溝）
６０    第一ケーブル（ケーブル）
６１    芯線
６２    被覆
６５    第二ケーブル（ケーブル）
６６    芯線
６７    被覆
７０    充填剤
８０    治具
８１    第一基台
８２    第二基台
８３    突部
【図１】
2017204313.tif 000003
【図２】
2017204313.tif 000004
【図３】
2017204313.tif 000005
【図４】
2017204313.tif 000006
【図５】
2017204313.tif 000007
【図６】
2017204313.tif 000008
【図７】
2017204313.tif 000009
【図８】
2017204313.tif 000010
【図９】
2017204313.tif 000011
【図１０】
2017204313.tif 000012
【図１１】
2017204313.tif 000013
【図１２】
2017204313.tif 000014
【国際調査報告】
2017204313.tif 000015
2017204313.tif 000016
2017204313.tif 000017
2017204313.tif 000018